(57)【要約】【課題】原稿読み取り時に原稿に特定波長光を照射する画像読取装置で画像読み取りが行われたことをその原稿となる印刷物自体で識別でき、画像読み取りによる複製行為を抑止することができる印刷物を作成する。【解決手段】複合機などにドキュメントの印刷を依頼する端末装置に、印刷指示されたドキュメントの画像と、特定波長光の照射により消色する消色トナーを使用して印刷される消去可能マークとが同一の記録紙に印刷される印刷データを生成する機能を備える。複合機などはこの印刷データに基づいて、印刷指示されたドキュメントの画像と、消色トナーを使用して印刷される消去可能マークとを同一の記録紙に印刷して出力する。この印刷物を複合機などで読み取る際に特定波長光を照射すると、印刷物から消去可能マークが消去する。印刷物の画像読み取りが行われたか否かは、この消去可能マークの有無により印刷物自体で識別することができる。【選択図】図６
2011171958.tif 000002
【特許請求の範囲】
【請求項１】
印刷指示された画像と、特定波長光の照射により消色する消色印刷剤を使用して印刷される第１マークとが同一の記録紙に印刷される印刷データを生成する
ことを特徴とする印刷データ生成装置。
【請求項２】
前記印刷データを、前記特定波長光の照射により消色しない非消色印刷剤を使用して印刷される第２マークが、前記記録紙に更に印刷される印刷データとして生成する
ことを特徴とする請求項１に記載の印刷データ生成装置。
【請求項３】
前記印刷データを、前記第１マークと前記第２マークの組み合せにより１つの組み合せマークが構成される印刷データとして生成する
ことを特徴とする請求項２に記載の印刷データ生成装置。
【請求項４】
前記組み合せマークは、前記第１マークと前記第２マークの境界が目立たないようにされて前記第１マークと前記第２マークとが同化して組み合せられた同化マークを含む
ことを特徴とする請求項３に記載の印刷データ生成装置。
【請求項５】
前記同化マークは、前記第１マークと前記第２マークのうちの一方が背景となり他方が該背景に隠されて組み合せられた地紋マークを含む
ことを特徴とする請求項４に記載の印刷データ生成装置。
【請求項６】
前記第１マークと前記第２マークのうちの一方は所定の読取解像度で読み取ることができる大きさおよび密度のドットで構成され他方は前記所定の読取解像度で読み取ることができない大きさおよび密度のドットで構成される
ことを特徴とする請求項２〜５のいずれか１項に記載の印刷データ生成装置。
【請求項７】
前記第１マークと前記第２マークが同一かつ連続したパターンのドットで構成される
ことを特徴とする請求項４または５に記載の印刷データ生成装置。
【請求項８】
前記第２マークは、前記記録紙に前記第１マークが印刷されたことを示す表示情報である
ことを特徴とする請求項２に記載の印刷データ生成装置。
【請求項９】
前記画像の印刷設定で前記第１マークの印刷に関する設定を受け付けた場合は該設定を示す印刷設定情報を前記画像に関連付けて記憶し、該画像に対する次回以降の印刷設定では該画像に関連付けて記憶されている印刷設定情報を使用可能とする
ことを特徴とする請求項１〜８のいずれか１項に記載の印刷データ生成装置。
【請求項１０】
請求項１に記載の印刷データ生成装置と、
前記印刷データ生成装置により生成された印刷データに基づき前記画像と前記消色印刷剤を使用して印刷される前記第１マークとを同一の記録紙に印刷する印刷部と、
を備えたことを特徴とする印刷装置。
【請求項１１】
請求項２〜８のいずれか１項に記載の印刷データ生成装置と、
前記印刷データ生成装置により生成された印刷データに基づき前記画像と前記消色印刷剤を使用して印刷される前記第１マークと前記非消色印刷剤を使用して印刷される前記第２マークとを同一の記録紙に印刷する印刷部と、
を備えたことを特徴とする印刷装置。
【請求項１２】
情報処理装置を請求項１〜９のいずれか１項に記載の印刷データ生成装置として機能させるためのプログラム。
【発明の詳細な説明】
【技術分野】
【０００１】
本発明は、複製抑止機能を備えた印刷物を作成する印刷データ生成装置、印刷装置、およびプログラムに関する。
【背景技術】
【０００２】
原本書類や機密書類などに対する不正な複写行為を抑止する技術としては、書類の背景を構成する地紋に複写の形跡を示す「コピー」などの文字を隠し文字（潜像）として埋め込み、この書類を複写機で複写すると複写物にその複写の形跡を示す文字が現れて複写抑止効果を発揮する地紋印刷技術が知られている（特許文献１参照）。
【０００３】
一方、印刷用のトナーにおいては近赤外線を照射すると消色（無色化）する消色トナーが知られており、この消色トナーを用いて原稿の複写を行う複写機などが提案されている（特許文献２参照）。
【先行技術文献】
【特許文献】
【０００４】
【特許文献１】特開２００６−１２１５１８号公報
【特許文献２】特開平５−６９６７５号公報
【発明の概要】
【発明が解決しようとする課題】
【０００５】
従来の一般的な地紋印刷技術は、原稿側の隠し文字が複写物側に複写の形跡（証拠）として現れるようにすることで複写行為に対する心理的な抑止効果を与えるものであるが、複写元の原稿には複写の形跡が残らないため原稿自体からは複写の有無を判断することができない。たとえば、職場内で複写厳禁書類を回覧するような場合に、回覧中に複写されていないことをその書類自体からは見分けることができない。そのため、複写行為を抑止する技術としては改善の余地がある。
【０００６】
消色トナーを用いた複写機は、たとえば、機密書類などの複写に利用して複写物の文書内容を消去可能とすることにより、機密情報の漏洩を防止するような使い方もある。しかし、この複写機で原稿を複写した場合も、原稿自体から複写の形跡を把握することはできない。
【０００７】
本発明は、上記の問題を解決しようとするものであり、原稿読み取り時に原稿に特定波長光を照射する画像読取装置で画像読み取りが行われたことをその原稿となる印刷物自体で識別でき、画像読み取りによる複製行為を抑止することができる印刷物を作成する印刷データ生成装置、印刷装置、およびプログラムを提供することを目的としている。
【課題を解決するための手段】
【０００８】
かかる目的を達成するための本発明の要旨とするところは、次の各項の発明に存する。
【０００９】
［１］印刷指示された画像と、特定波長光の照射により消色する消色印刷剤を使用して印刷される第１マークとが同一の記録紙に印刷される印刷データを生成する
ことを特徴とする印刷データ生成装置。
【００１０】
上記発明では、印刷データ生成装置により生成された印刷データに基づいて印刷装置などは、印刷指示された画像と第１マークとを同一の記録紙に印刷して出力する。この印刷では、第１マークは特定波長光の照射により消色する消色印刷剤を使用して記録紙に印刷される。第１マークは、たとえば、文字、記号、図形（幾何模様）などからなる各種のマークで構成することができる。
【００１１】
原稿読み取り時に原稿に特定波長光を照射する画像読取装置で、上記の画像と第１マークとが印刷された記録紙である印刷物が読み取られる際に特定波長光が照射されると、印刷物から第１マークが消去する。印刷物の画像読み取りが行われたか否かはこの第１マークの有無により印刷物自体で識別することができ、印刷物の画像読み取りによる複製を禁止する場合にその複製行為を抑止することができる。
【００１２】
［２］前記印刷データを、前記特定波長光の照射により消色しない非消色印刷剤を使用して印刷される第２マークが、前記記録紙に更に印刷される印刷データとして生成する
ことを特徴とする［１］に記載の印刷データ生成装置。
【００１３】
上記発明では、印刷データ生成装置により生成された印刷データに基づいて印刷装置などは、印刷指示された画像と第１マークと第２マークとを同一の記録紙に印刷して出力する。この印刷では、第２マークは特定波長光の照射により消色しない非消色印刷剤を使用して記録紙に印刷される。この印刷物（記録紙）の画像読み取り時に特定波長光が照射されると、印刷物から第１マークが消去し第２マークは消去されずに残存する。
【００１４】
たとえば、第２マークが残存している印刷物を見て以前（画像読み取り前）は印刷物に第１マークが印刷されたことを推測したり間接的に把握したりすることができる。また、第１マークと第２マークによって何らかの付加画像を構成し、印刷物の画像読み取りで特定波長光が照射されると第１マークが消去してその付加画像が第２マークのみからなる付加画像に変化することにより、印刷物の画像読み取りが行われたことを印刷物自体で識別することもできる。
【００１５】
［３］前記印刷データを、前記第１マークと前記第２マークの組み合せにより１つの組み合せマークが構成される印刷データとして生成する
ことを特徴とする［２］に記載の印刷データ生成装置。
【００１６】
上記発明では、印刷データに基づいて印刷された印刷物には、第１マークと第２マークとが１つの組み合せマークとして印刷される。これにより、第１マークと第２マークを見た目では違和感の少ない付加画像として印刷物に付加することができる。
【００１７】
［４］前記組み合せマークは、前記第１マークと前記第２マークの境界が目立たないようにされて前記第１マークと前記第２マークとが同化して組み合せられた同化マークを含む
ことを特徴とする［３］に記載の印刷データ生成装置。
【００１８】
上記発明では、印刷データに基づいて印刷された印刷物には、第１マークと第２マークが境界の目立たない同化マークとして印刷される。これにより、第１マークと第２マークを目視では識別困難な１つのマークとして印刷物に付加することができる。この印刷物の画像読み取り時に特定波長光が照射されると第１マークが消去し、予期していない第２マークが現れて意外性の高い変化が起こる。たとえば、不正な画像読み取りに対し、読み取り元の印刷物自体に意外性の高い変化が起こることで、不正を戒める高い心理的効果（猛省を促す効果）を与えることができる。これにより、印刷物の画像読み取りによる複製行為の再発抑止効果が高められる。
【００１９】
［５］前記同化マークは、前記第１マークと前記第２マークのうちの一方が背景となり他方が該背景に隠されて組み合せられた地紋マークを含む
ことを特徴とする［４］に記載の印刷データ生成装置。
【００２０】
上記発明では、印刷データに基づいて印刷された印刷物には、第１マークと第２マークが一方の背景に他方が隠された地紋マークとして印刷される。これにより、第１マークと第２マークを目視では識別困難な１つのマークとし、かつ、見た目でより違和感の少ない付加画像（背景画像）として印刷物に付加することができる。
【００２１】
［６］前記第１マークと前記第２マークのうちの一方は所定の読取解像度で読み取ることができる大きさおよび密度のドットで構成され他方は前記所定の読取解像度で読み取ることができない大きさおよび密度のドットで構成される
ことを特徴とする［２］〜［５］のいずれか１項に記載の印刷データ生成装置。
【００２２】
上記発明では、印刷物が所定の読取解像度で読み取られる場合に、印刷物に付加された第１マークおよび第２マークのうち、所定の読取解像度で読み取ることができる大きさおよび密度のドットで構成された方は読取画像に再現され、所定の読取解像度で読み取ることができない大きさおよび密度のドットで構成された方は読取画像に再現されないことになる。なお、印刷物に特定波長光を照射してから画像読み取りを行う場合には、画像読み取りを行う前に第１マークは消去されることとなり、読取画像には再現されないことになる。
【００２３】
［７］前記第１マークと前記第２マークが同一かつ連続したパターンのドットで構成される
ことを特徴とする［４］または［５］に記載の印刷データ生成装置。
【００２４】
上記発明では、第１マークと第２マークを目視では識別不可能な１つのマーク（同化マーク／地紋マーク）として印刷物に付加することができる。
【００２５】
［８］前記第２マークは、前記記録紙に前記第１マークが印刷されたことを示す表示情報である
ことを特徴とする［２］に記載の印刷データ生成装置。
【００２６】
上記発明では、印刷物の画像読み取りで特定波長光が照射され第１マークが消去しても、消去されずに残存している表示情報（第２マーク）から、印刷物に第１マークが印刷されたことを把握することができる。
【００２７】
［９］前記画像の印刷設定で前記第１マークの印刷に関する設定を受け付けた場合は該設定を示す印刷設定情報を前記画像に関連付けて記憶し、該画像に対する次回以降の印刷設定では該画像に関連付けて記憶されている印刷設定情報を使用可能とする
ことを特徴とする［１］〜［８］のいずれか１項に記載の印刷データ生成装置。
【００２８】
上記発明では、印刷指示を行う画像の印刷設定で、第１マークの印刷に関する設定を行う場合に、以前に設定を行って記憶されている印刷設定情報を使用して簡単に設定を行うことができる。
【００２９】
［１０］［１］に記載の印刷データ生成装置と、
前記印刷データ生成装置により生成された印刷データに基づき前記画像と前記消色印刷剤を使用して印刷される前記第１マークとを同一の記録紙に印刷する印刷部と、
を備えたことを特徴とする印刷装置。
【００３０】
上記発明では、印刷装置は、印刷データ生成装置により生成された印刷データに基づき、印刷指示された画像と、消色印刷剤を使用して印刷される第１マークとを同一の記録紙に印刷する。この印刷物（記録紙）の画像読み取り時に特定波長光が照射されると、印刷物から第１マークが消去する。これにより、画像読み取りが行われたことを印刷物自体で識別でき、画像読み取りによる複製行為を抑止することができる印刷物を作成することができる。
【００３１】
［１１］［２］〜［８］のいずれか１項に記載の印刷データ生成装置と、
前記印刷データ生成装置により生成された印刷データに基づき前記画像と前記消色印刷剤を使用して印刷される前記第１マークと前記非消色印刷剤を使用して印刷される前記第２マークとを同一の記録紙に印刷する印刷部と、
を備えたことを特徴とする印刷装置。
【００３２】
上記発明では、印刷装置は、印刷データ生成装置により生成された印刷データに基づき、印刷指示された画像と、消色印刷剤を使用して印刷される第１マークと、非消色印刷剤を使用して印刷される第２マークとを同一の記録紙に印刷する。この印刷物（記録紙）の画像読み取り時に特定波長光が照射されると、印刷物から第１マークが消去し第２マークは消去されずに残存する。これにより、画像読み取りが行われたことを印刷物自体で識別でき、画像読み取りによる複製行為を抑止することができる印刷物を作成することができる。
【００３３】
［１２］情報処理装置を［１］〜［９］のいずれか１項に記載の印刷データ生成装置として機能させるためのプログラム。
【発明の効果】
【００３４】
本発明の印刷データ生成装置、印刷装置、およびプログラムによれば、原稿読み取り時に原稿に特定波長光を照射する画像読取装置で画像読み取りが行われたことをその原稿となる印刷物自体で識別でき、画像読み取りによる複製行為を抑止することができる印刷物を作成することができる。
【図面の簡単な説明】
【００３５】
【図１】本発明の第１の実施形態に係る端末装置および複合機が接続されたシステムの構成を示す図である。
【図２】本発明の第１の実施形態に係る端末装置の概略構成を示すブロック図である。
【図３】本発明の第１の実施形態に係る複合機の概略構成を示すブロック図である。
【図４】複合機が備えるスキャナ部の概略構成を示す図である。
【図５】端末装置から消去可能マークを付加したドキュメントの印刷を依頼し複合機がその印刷物を出力する流れを示す図である。
【図６】端末装置によるドキュメントの印刷依頼動作を示す流れ図である。
【図７】複合機による印刷依頼を受けたドキュメントの印刷動作を示す流れ図である。
【図８】複合機による原稿の複写で消去可能マークを付加した印刷物を出力する流れを示す図である。
【図９】複合機による原稿の複写で消去可能マークを付加した印刷物を出力する動作を示す流れ図である。
【図１０】消去可能マークが付加された原稿と、この原稿を複合機で読み取った場合に取得される原稿の読取画像と読み取り後の原稿を示す図である。
【図１１】複合機による原稿の読取動作を示す流れ図である。
【図１２】原稿の読取動作における光源の点灯／消灯タイミングと原稿の読み取りタイミングを示すタイミングチャートである。
【図１３】消去可能マークが付加された原稿と、この原稿を複合機で途中まで読み取った場合の読み取り後の原稿を示す図である。
【図１４】図１３の読み取り後の原稿を詳細に示す図である。
【図１５】本発明の第２の実施形態に係る端末装置から消去可能マークと消去不可マークを付加したドキュメントの印刷を依頼し複合機がその印刷物を出力する流れを示す図である。
【図１６】消去可能マークと消去不可マークが付加された原稿を複合機で読み取った場合に取得される原稿の読取画像と読み取り後の原稿を示す図である。
【図１７】図１５に対して消去不可マークの付加位置が異なる例を示す図である。
【図１８】図１７の消去可能マークと消去不可マークが付加された原稿を複合機で読み取った場合に取得される原稿の読取画像と読み取り後の原稿を示す図である。
【図１９】消去不可マークを印刷物の裏面に付加する例を示す図である。
【図２０】消去不可マークを印刷物の空き領域に付加する例を示す図である。
【図２１】従来の地紋印刷技術の概要を示す図である。
【図２２】従来の地紋印刷技術で原稿に印刷された地紋画像と、この原稿の読取画像と、読み取り後の原稿の地紋画像をそれぞれ構成するドットを拡大イメージにて示す図である。
【図２３】従来の地紋印刷技術で地紋画像が印刷された原稿と、この原稿を読み取った場合の読取画像と読み取り後の原稿の一例を示す図である。
【図２４】本発明の第３の実施形態に係る地紋印刷技術で原稿に印刷された地紋マークと、この原稿の読取画像と、読み取り後の原稿の地紋マークをそれぞれ構成するドットを拡大イメージにて示す図である。
【図２５】本発明の第３の実施形態に係る地紋印刷技術で印刷された原稿を読み取った場合の画像と読み取り後の原稿の一例を説明する図である。
【図２６】本発明の第１の実施形態に係る消去可能マークおよび第３の実施形態に係る地紋マークを印刷物に付加する場合の付加パターンを一覧にして示す図である。
【図２７】図２６の（ｆ）、（ｇ）による原稿の読取動作における光源の点灯／消灯タイミングと原稿の読み取りタイミングを示すタイミングチャートである。
【図２８】図２６の（ｆ）、（ｇ）による付加パターンの地紋マークが印刷された原稿と、この原稿を図２７のタイミングチャートに示す読取動作で読み取った場合の読取画像と読み取り後の原稿の一例を示す図である。
【図２９】本発明の第３の実施形態に係る地紋マークの他の例を示す図である。
【図３０】本発明の第３の実施形態に係る同化マークの一例を示す図である。
【図３１】本発明の第３の実施形態に係る非同化マークの一例を示す図である。
【図３２】本発明の第３の実施形態に係る同化マークと非同化マークを組み合せた場合の一例を示す図である。
【図３３】本発明の第４の実施形態に係る端末装置によるドキュメントの印刷依頼動作を示す流れ図である。
【図３４】図３３におけるセキュリティ出力設定処理のサブルーチンを示す流れ図である。
【図３５】端末装置に表示される印刷設定画面の一例を示す図である。
【図３６】端末装置に表示される印刷設定画面の一例を示す図である。
【図３７】端末装置に表示される印刷設定画面の一例を示す図である。
【図３８】端末装置に表示される印刷設定画面の一例を示す図である。
【図３９】端末装置に表示される印刷設定画面の一例を示す図である。
【図４０】端末装置に表示される印刷設定画面の一例を示す図である。
【図４１】端末装置に表示される印刷設定画面の一例を示す図である。
【図４２】端末装置に表示される印刷設定画面の一例を示す図である。
【発明を実施するための形態】
【００３６】
以下、図面に基づき本発明の実施形態を説明する。
【００３７】
[第１の実施形態]
図１は、本発明の第１の実施形態に係る端末装置１０と複合機２０をＬＡＮ（Local Area Network）などのネットワーク２に接続して構成されたシステムの構成を示す図である。
【００３８】
端末装置１０は、複合機２０に対してネットワーク２を通じてアクセスし、ドキュメントの印刷など各種作業の指示や操作の依頼などを行う情報処理装置である。たとえば、パーソナルコンピュータ（Personal Computer；ＰＣ）に複合機２０のプリンタドライバ（ドライバプログラム）などを組み込んで構成される。
【００３９】
また端末装置１０は、印刷指示されたドキュメントの画像と、特定波長光の照射により消色する消色トナーを使用して印刷される消去可能マーク（第１マーク）とが同一の記録紙に印刷される印刷データを生成したり、特定波長光の照射により消色しない通常トナー（非消色トナー）を使用して印刷される消去不可マーク（第２マーク）がこの記録紙に更に印刷される印刷データを生成したりする印刷データ生成装置としての機能を備えている。
【００４０】
端末装置１０が生成する印刷データは、ページ記述言語（Page Description Language；ＰＤＬ）で作成されたデータと、ラスターイメージのデータ（ラスターイメージデータ）とを含む。複合機２０がページ記述言語に対応している場合には、端末装置１０はその複合機２０のプリンタドライバによりページ記述言語で作成したデータ（印刷データ）を生成する。複合機２０がページ記述言語に対応していない場合には、端末装置１０はその複合機２０のプリンタドライバによりラスターイメージのデータ（印刷データ）を生成する。またページ記述言語によるデータは、ベクターイメージと制御系コマンドからなるデータや、ベクターイメージとラスターイメージと制御系コマンドからなるデータを含む。
【００４１】
通常トナーを使用して印刷する箇所と消色トナーを使用して印刷する箇所は、たとえば、使用するトナーの種類を箇所毎に指定する情報（トナー指定情報）として印刷データに記載する。ページ記述言語で作成するデータの場合はベクターイメージに記載する。ラスターイメージデータの場合はピクセルに記載する。ピクセルへの記載は、当該ピクセルを通常トナーと消色トナーのいずれのトナーを使用して印字するかを示す情報（トナー指定情報）をピクセルの情報に含ませることで行う。
【００４２】
なお、本実施形態では複合機２０がページ記述言語に対応しており、端末装置１０はページ記述言語で作成したデータを生成する場合を例に説明する。
【００４３】
複合機２０は、原稿の画像を光学的に読み取ってその複製画像を記録紙に印刷して出力するコピー機能、読み取った原稿の画像データ（ラスターイメージデータ）をファイルにして保存したり端末装置１０やサーバなどへ送信したりするスキャン機能、端末装置１０から受信した印刷データに係る画像や当該複合機２０に保存されている画像データ（ファイル）に係る画像を記録紙に印刷して出力するプリンタ機能、画像データを送受信するファクシミリ機能などを備えたマルチファンクションの画像処理装置（Multi Function Peripheral/Multi Function Printer；ＭＦＰ）である。
【００４４】
また複合機２０は、読み取った原稿の画像と、消色トナーを使用して印刷される消去可能マーク（第１マーク）とが同一の記録紙に印刷される画像データを生成したり、通常トナーを使用して印刷される消去不可マーク（第２マーク）がこの記録紙に更に印刷される画像データを生成したりする画像データ生成装置としての機能と、本機能で生成した画像データや端末装置１０から受信した印刷データに基づき、同一の記録紙に画像（原稿の画像または印刷指示された画像）と消色トナーを使用して消去可能マークとを印刷したり、この記録紙に更に通常トナーを使用して消去不可マークを印刷したりする印刷装置としての機能とを備えている。複合機２０における画像データ生成装置の機能は、端末装置１０における印刷データ生成装置の機能と実質的に同じである。複合機２０が本機能によって生成する上記の画像データは、端末装置１０が同機能によって生成する上述の印刷データと実質的に同じである。なお、消去不可マークについては第２の実施形態以降で説明する。
【００４５】
本実施形態では、ネットワーク２に複数台の複合機２０（図示の例ではＭＦＰ１〜ＭＦＰ５）が接続されている。各複合機２０のネットワーク識別名（ホスト名）は、会社コードを示す第１属性と、機種コードを示す第２属性と、製番コードを示す第３属性とで構成されている。
【００４６】
図２は、端末装置１０の概略構成を示すブロック図である。端末装置１０は、制御部としてのＣＰＵ（Central Processing Unit）１１に、バス１２を介してＲＯＭ（Read Only Memory）１３と、ＲＡＭ（Random Access Memory）１４と、不揮発メモリ１５と、ハードディスク装置１６と、表示部１７と、操作部１８と、ネットワーク通信部１９とを接続して構成される。
【００４７】
ＣＰＵ１１は、ＲＯＭ１３に格納されているプログラムに基づいて端末装置１０の動作を制御する。ＲＡＭ１４はＣＰＵ１１がプログラムを実行する際に各種データを一時的に格納するワークメモリなどとして使用される。不揮発メモリ１５は、電源がオフされても記憶が保持されるメモリであり、装置固有の情報や各種の設定情報などが記憶される。ハードディスク装置１６は、各種の保存データ、ドキュメントの電子データ、複合機２０のプリンタドライバ５０、ドキュメントの印刷履歴に関する情報を記憶管理する履歴管理テーブル５１などを格納する。プリンタドライバ５０は、ドキュメントの画像に付加する消去可能マークの電子データと消去不可マークの電子データを有している。
【００４８】
表示部１７は液晶ディスプレイ（Liquid Crystal Display；ＬＣＤ）などの表示装置で構成されており、各種の画面、ドキュメントの画像などを表示する。操作部１８はキーボードやマウスなどの入力装置で構成されており、ユーザが端末装置１０に対して行う操作や入力を受け付ける。ネットワーク通信部１９は、ネットワーク２を通じて複合機２０と通信する。
【００４９】
図３は、複合機２０の概略構成を示すブロック図である。複合機２０は、制御部としてのＣＰＵ２１に、バス２２を介してＲＯＭ２３と、ＲＡＭ２４と、不揮発メモリ２５と、ハードディスク装置２６と、表示部２７と、操作部２８と、ファクシミリ通信部２９と、ネットワーク通信部３０と、画像処理部３１と、スキャナ部３２と、プリンタ部３３と、トナー残量検出部３４とを接続して構成される。
【００５０】
ＣＰＵ２１は、ＲＯＭ２３に格納されているプログラムに基づいて複合機２０の動作を制御する。ＲＡＭ２４は、ＣＰＵ２１がプログラムを実行する際に各種データを一時的に格納するワークメモリとして使用されるほか、画像データを一時的に保存するための画像メモリなどにも使用される。
【００５１】
不揮発メモリ２５は、電源がオフされても記憶が保持されるメモリであり、装置固有の情報や各種の設定情報などが記憶される。ハードディスク装置２６は、各種の保存データを格納するほか、入力された画像データなども保存する。不揮発メモリ２５もしくはハードディスク装置２６には、読み取った原稿の画像に付加する消去可能マークの電子データと消去不可マークの電子データが記憶されている。
【００５２】
表示部２７は、液晶ディスプレイなどで構成され、操作画面、設定画面、確認画面、通知画面などの各種の画面を表示する。操作部２８は、スタートボタン、ストップボタン、テンキーなどの各種のボタン類と、液晶ディスプレイの表面に設けられて押下された座標位置を検出するタッチパネルなどで構成され、ユーザが複合機２０に対して行う各種の操作を受け付ける。
【００５３】
ファクシミリ通信部２９は、ファクシミリ機能を備えた外部装置と公衆回線を通じて画像データを送受信する。ネットワーク通信部３０は、ネットワーク２を通じて端末装置１０やサーバなどと通信を行う。
【００５４】
画像処理部３１は、端末装置１０から受信した印刷データ(ページ記述言語で作成されたデータ)に対してラスタライズ処理を施したり、画像データに対して、画像補正、回転、拡大／縮小、圧縮／伸張など各種の画像処理を施したりする。
【００５５】
スキャナ部３２は、原稿を光学的に読み取って画像データを取得する。スキャナ部３２の構成については後述する。
【００５６】
プリンタ部３３は、画像データに基づく画像を電子写真プロセスによって記録紙上に形成して出力する。プリンタ部３３は、たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００５７】
またプリンタ部３３は、特定波長光を照射すると消色（無色化）する消色トナー（Ｃ（シアン）、Ｍ（マゼンタ）、Ｙ（イエロー）、Ｋ（ブラック））と、通常トナー（ＣＭＹＫ）とを選択的に使用して記録紙にカラー画像を形成する機能を備えている。プリンタ部３３は、たとえば上記の感光体ドラム、帯電装置、ＬＤ（またはＬＥＤ）、走査ユニット、現像装置、転写分離装置、クリーニング装置などを通常トナー用と消色トナー用とで個別に備えており、記録紙単位（印刷面単位）で両トナーを使い分けて画像を形成したり、１枚の記録紙内（１つの印刷面内）で両トナーを使い分けて画像を形成したりすることが可能となっている。
【００５８】
消色トナーは、たとえば、近赤外線を照射すると無色化するトナーである。たとえば、着色剤としてシアニン系染料、消色助剤として有機ホウ素アンモニウム塩を用い、近赤外線を照射すると染料が無色のロイコ体になるものである。
【００５９】
トナー残量検出部３４は、通常トナーの残量と消色トナーの残量を個別に検出する。
【００６０】
複合機２０におけるスキャナ部３２は、原稿を読み取るための照明光を原稿に照射する読取用光源と、消色トナーを無色化する特定波長光（近赤外線）を原稿に照射する消去用光源と、読取用光源により照明光が照射された原稿からの反射光を受光して原稿を読み取る読取部などを備えて構成される。スキャナ部３２は、原稿を読み取る機能の他に、原稿に特定波長光を照射し、原稿内の消色トナーで印刷されている画像（消去可能マーク）を消去する機能を備えている。
【００６１】
図４にスキャナ部３２の概略構成を示す。本実施形態に係るスキャナ部３２は、フラッドベッド型（原稿固定型）スキャナとして構成されている。本図の（Ａ）に示すように、スキャナ部３２は、原稿Ｍが載置されるプラテンガラス４１（原稿台）と、プラテンガラス４１上の原稿Ｍを読み取る読取装置４２と、読取装置４２を原稿Ｍの長さ方向（読み取り方向Ｘ）へ移動させる移動機構４３とを備えている。
【００６２】
読取装置４２は、プラテンガラス４１上の原稿Ｍに照明光Ｌａを照射する読取用光源４４と、原稿Ｍからの反射光Ｌｂを受光して原稿Ｍを幅方向に１ライン分読み取る読取部としてのラインイメージセンサ（光電変換素子）４５と、特定波長光ＩＲを原稿Ｍに照射するための消去用光源４６と、消去用光源４６からの特定波長光ＩＲを反射集光してラインイメージセンサ４５による原稿Ｍの読取範囲（読取位置）Ｓへ照射させる反射板４７と、これらの部品を保持して移動機構４３に取り付けられた保持部材４８とを備えている。本図の（Ｂ）では、読取装置４２を上方から見た平面図を示している。
【００６３】
ラインイメージセンサ４５による所定サイズの読取範囲Ｓはライン状（一次元状）である。読取用光源４４による照明光Ｌａと消去用光源４６による特定波長光ＩＲは、ラインイメージセンサ４５による原稿Ｍの読取範囲Ｓへ向けて照射される。ラインイメージセンサ４５は、移動機構４３によって原稿Ｍの長さ方向へ順次移動し、ライン状の読取範囲Ｓで原稿Ｍをライン毎に読み取る（走査読取）。またスキャナ部３２は、ラインイメージセンサ４５の出力するアナログ画像信号をデジタルの画像データに変換する変換部なども備えている。
【００６４】
本実施形態に係るスキャナ部３２は、読取装置４２を移動させなくても、照明光Ｌａと特定波長光ＩＲとをラインイメージセンサ４５による読取範囲Ｓに照射できる、すなわち、プラテンガラス４１上の原稿Ｍにおける同一ライン上（同一走査線上）に照射できる構成となっている。プラテンガラス４１上の原稿Ｍに特定波長光ＩＲを照射した場合、その原稿Ｍの画像が消色トナーで印刷されていれば特定波長光ＩＲの照射領域は無色化し、通常トナーで印刷されていれば無色化しないことになる。両トナーの画像が混在している場合は消色トナーで印刷されている画像領域のみが無色化することになる。
【００６５】
一般に消色トナーは、特定波長光の照射強度（光量）に応じて消色時間（消色速度）が変化する。本実施形態では、消去用光源４６から発散される特定波長光ＩＲをラインイメージセンサ４５による読取範囲Ｓに集光し、光量を高めて消色時間を短くするために、その集光機能を備えた反射板４７を設けている。
【００６６】
次に、端末装置１０と複合機２０の動作について説明する。
【００６７】
図５は端末装置１０から消去可能マークを付加したドキュメントの印刷を依頼し複合機２０がその印刷物を出力する流れを示す図である。図６は端末装置１０によるドキュメントの印刷依頼動作を示す流れ図である。図７は複合機２０による印刷依頼を受けたドキュメントの印刷動作を示す流れ図である。
【００６８】
図６に示すように、端末装置１０はユーザから表示部１７および操作部１８を通じて印刷するドキュメントの選択を受け付け（ステップＳ１０１（図５のＤ１））、プリンタドライバ５０を通じて印刷設定を受け付ける（ステップＳ１０２）。印刷設定では、ユーザはドキュメントの印刷物に消色トナーを使用して印刷される消去可能マークを付加するか否かの設定を行う（図５および図３７参照）。
【００６９】
消去可能マークは、「コピーされていません。」などの文字（文字情報）で構成された、ドキュメントの画像の背景に付加される背景文字である。予め用意された複数種類のマーク（文字情報）、たとえば、「コピーされていません。」や「未コピー」などの中から付加する種類のマークを選択する構成としてもよい。さらに消去可能マークに関する設定では、文字の色、フォント（字体）、サイズ、角度（組み込み角度）などの設定を行うこともできる。色については、予め用意された複数種類の色濃度の低い色彩、たとえば、灰色や水色などの中から選択する構成としてもよい。図５の例では、上記の設定によって付加される消去可能マークをＤ２に示すように、色濃度の低い色彩による「コピーされていません。」の文字で示している。
【００７０】
端末装置１０はユーザからドキュメントの印刷指示を受け付けると（ステップＳ１０３）、消去可能マークの付加が設定されていない場合には（ステップＳ１０４；Ｎｏ）、ドキュメントの電子データ（ドキュメントデータ）と印刷設定情報とを含む印刷データを生成し（ステップＳ１０５）、複合機２０に送信する（ステップＳ１０６／Ｅｎｄ）。消去可能マークの付加が設定されている場合には（ステップＳ１０４；Ｙｅｓ）、ドキュメントの画像（図５のＤ１）に消去可能マーク（図５のＤ２）を付加した電子データ（ドキュメントデータ）と、付加した消去可能マークの印刷には消色トナーの使用を指定した消色トナー指定情報と、印刷設定情報とを含む印刷データ（図５のＤ３）を生成し（ステップＳ１０７）、複合機２０に送信する（ステップＳ１０６／Ｅｎｄ）。
【００７１】
図７に示すように、複合機２０は端末装置１０から印刷データを受信すると（ステップＳ２０１）、印刷データに含まれているドキュメントの画像に消去可能マークが付加されているか否かを解析する（ステップＳ２０２）。消去可能マークが付加されていない場合には（ステップＳ２０３；Ｎｏ）、印刷データに含まれている印刷設定情報に従いドキュメントデータに基づく画像をプリンタ部３３で通常トナーを使用して記録紙に印刷し出力する（ステップＳ２０４（印刷処理）／Ｅｎｄ）。
【００７２】
消去可能マークが付加されている場合には（ステップＳ２０３；Ｙｅｓ）、印刷データに含まれている印刷設定情報に従いドキュメントデータに基づく画像をプリンタ部３３で通常トナーを使用して記録紙に印刷し、この記録紙に消去可能マークをプリンタ部３３で消色トナーを使用して重畳印刷し出力する（ステップＳ２０５（印刷処理）／Ｅｎｄ）。この印刷処理における通常トナーと消色トナーの印刷順はどちらが先でもかまわない。
【００７３】
図５に例示するように、複合機２０によって消去可能マークが付加されたドキュメントの印刷物Ｐ１には、ドキュメントの画像の背景に消去可能マークである「コピーされていません。」の文字（背景文字）が紙面全域に羅列して印刷される。この消去可能マークは、消色トナーを使用し色濃度の低い色彩で印刷される。
【００７４】
図８は複合機２０による原稿の複写（コピー）で消去可能マークを付加した印刷物を出力する流れを示す図である。図９は複合機２０による原稿の複写で消去可能マークを付加した印刷物を出力する動作を示す流れ図である。
【００７５】
図９に示すように、複合機２０はユーザによって原稿がスキャナ部３２にセットされ（ステップＳ３０１）、表示部２７および操作部２８を通じて、複写する原稿の印刷設定を受け付ける（ステップＳ３０２）。印刷設定では、ユーザは原稿の複写物（印刷物）に消去可能マークを付加するか否かの設定を行う。
【００７６】
端末装置１０の場合と同様に、消去可能マークは、「コピーされていません。」などの文字（文字情報）で構成され、原稿の複写画像の背景に付加される背景文字である。予め用意された複数種類のマーク（文字情報）、たとえば、「コピーされていません。」や「未コピー」などの中から付加する種類のマークを選択する構成としてもよい。さらに消去可能マークに関する設定では、文字の色、フォント（字体）、サイズ、角度（組み込み角度）などの設定を行うこともできる。色については、予め用意された複数種類の色濃度の低い色彩、たとえば、灰色や水色などの中から選択する構成としてもよい。図８の例では、上記の設定によって付加される消去可能マークをＤ１２に示すように、色濃度の低い色彩による「コピーされていません。」の文字で示している。
【００７７】
複合機２０はユーザから複写の開始指示を受け付けると（ステップＳ３０３）、スキャナ部３２で原稿の画像を読み取り画像データを取得する（ステップＳ３０４）。消去可能マークの付加が設定されていない場合には（ステップＳ３０５；Ｎｏ）、ＣＰＵ２１は取得した画像データと印刷設定情報とを含む印刷用の画像データを生成し、プリンタ部３３に送信する（ステップＳ３０６）。プリンタ部３３は、印刷設定情報に従い画像データに基づく画像を通常トナーを使用して記録紙に印刷し出力する（ステップＳ３０７（印刷処理）／Ｅｎｄ）。
【００７８】
消去可能マークの付加が設定されている場合には（ステップＳ３０５；Ｙｅｓ）、ＣＰＵ２１は取得した画像データ（原稿の画像／図８のＤ１１）に消去可能マーク（図８のＤ１２）を付加した画像データと、付加した消去可能マークの印刷には消色トナーの使用を指定した消色トナー指定情報と、印刷設定情報とを含む印刷用の画像データ（図８のＤ１３）を生成し、プリンタ部３３に送信する（ステップＳ３０８）。プリンタ部３３は、印刷設定情報に従い画像データに基づく画像を通常トナーを使用して記録紙に印刷し、この記録紙に消去可能マークを消色トナーを使用して重畳印刷し出力する（ステップＳ３０９（印刷処理）／Ｅｎｄ）。この印刷処理における通常トナーと消色トナーの印刷順はどちらが先でもかまわない。
【００７９】
図８に例示するように、複合機２０による原稿Ｍ１１の複写で消去可能マークが付加された複写物Ｐ１１には、原稿の複写画像の背景に消去可能マークである「コピーされていません。」の文字（背景文字）が紙面全域に羅列して印刷される。この消去可能マークは、消色トナーを使用し色濃度の低い色彩で印刷される。
【００８０】
なお、複合機２０による原稿の複写で消去可能マークを複写物に付加する上述の機能は、権限の高いユーザのみ利用可能とすることが望ましい。
【００８１】
図６のステップＳ１０７および図９のステップＳ３０８で説明した印刷データ（印刷用画像データ）の生成については、たとえば、通常トナーを使用して印刷する箇所と消色トナーを使用して印刷する箇所とで印刷データを分けて生成するようにしてもよい。以下にその詳細を２つ例示する。
【００８２】
１．印刷する画像と消去可能マークを単純に重ねる場合
・印刷指示されたドキュメント（もしくは画像読み取り指示がなされスキャナ部３２により読み取った原稿の読取画像）に係るデータを取り込む。
・取り込んだデータに基づく画像を通常トナーで印刷するための第１の印刷データを生成する。
・消去可能マークを消色トナーで印刷するための第２の印刷データを生成する。
・第１の印刷データと、第２の印刷データと、これらを同一の記録紙に印刷することを指示する情報（設定情報）とを含む印刷データを生成する。
・生成した印刷データを複合機２０（もしくはプリンタ部３３）へ送信する。
本例の場合は、消色トナーによる消去可能マークを印刷した上に通常トナーによる画像を印刷することが望ましい。
【００８３】
２．印刷する画像を前面画像とし消去可能マークを背景画像とする場合
・印刷指示されたドキュメント（もしくは画像読み取り指示がなされスキャナ部３２により読み取った原稿の読取画像）に係るデータを取り込む。
・取り込んだデータに基づく画像を通常トナーで印刷するための第１の印刷データを生成する。
・上記の画像を前面画像とし消去可能マークを背景画像とした合成画像を作成して、消去可能マークのうち上記の画像（前面画像）に隠されていない部分のみを切り出し、この切り出し部分を消色トナーで印刷するための第２の印刷データを生成する。
・第１の印刷データと、第２の印刷データと、これらを同一の記録紙に印刷することを指示する情報（設定情報）とを含む印刷データを生成する。
・生成した印刷データを複合機２０（もしくはプリンタ部３３）へ送信する。
本例の場合は、通常トナーによる画像と消色トナーによる消去可能マーク（切り出し部分）の印刷順序は問わない。
【００８４】
また、消去可能マークの印刷データ（電子データ）は予め記憶されている。印刷設定で消去可能マークの色、フォント、サイズなどが変更された場合は、その印刷データのうち該当する属性値を変更する。また、指定された消去可能マークの種類および属性値に応じて消去可能マークの印刷データを生成するプログラムを備え、必要時に該プログラムによって消去可能マークの印刷データを生成するようにしてもよい。
【００８５】
図１０は消去可能マークが付加された原稿Ｍ１と、原稿Ｍ１を複合機２０で読み取った場合に取得される原稿Ｍ１の読取画像Ｉ１と読み取り後の原稿Ｍ１を示す図である。本図における読み取り前の原稿Ｍ１は、図５で説明した印刷物Ｐ１や図８で説明した複写物Ｐ１１である。図１１は複合機２０による原稿の読取動作を示す流れ図である。図１２は原稿の読取動作における光源の点灯／消灯タイミングと原稿の読み取りタイミングを示すタイミングチャートである。
【００８６】
図１１に示すように、複合機２０はユーザによって原稿がスキャナ部３２にセットされ（ステップＳ４０１）、表示部２７および操作部２８を通じて原稿の読取保存（スキャン機能）または複写（コピー機能）の機能選択を受け付ける（ステップＳ４０２）。複合機２０はユーザから開始指示を受け付けると（ステップＳ４０３）、スキャナ部３２による原稿の読み取りを開始する（ステップＳ４０４）。
【００８７】
複合機２０のＣＰＵ２１は、スキャナ部３２による原稿の読み取りを開始すると、読み取り開始前には消灯されている読取用光源４４および消去用光源４６のうち、消去用光源４６のみを点灯させる（ステップＳ４０５〜ステップＳ４０６；Ｎｏ）。消去用光源４６を消色トナーの無色化に必要な所定時間点灯させると（ステップＳ４０６；Ｙｅｓ／図１２の所定の消去時間）、消去用光源４６を消灯させ読取用光源４４を点灯させる（ステップＳ４０７〜ステップＳ４０８；Ｎｏ）。ラインイメージセンサ４５は（図４参照）、読取用光源４４により照明光Ｌａが照射された原稿の読取範囲Ｓからの反射光Ｌｂを受光して蓄積し、読取範囲Ｓにおける画像（ライン画像）を読み取る。
【００８８】
ＣＰＵ２１は、読取用光源４４をラインイメージセンサ４５の光蓄積による画像の読み取りに必要な所定時間点灯させ（ステップＳ４０８；Ｙｅｓ／図１２の読取タイミング）、スキャナ部３２から出力された１ライン分の画像データを取得してＲＡＭ２４に一時保存する（ステップＳ４０９／図１２の画像データ）。原稿の読み取り（全ライン分の画像データの取得）が完了するまでステップＳ４０５〜ステップＳ４０９を繰り返し（ステップＳ４１０；Ｎｏ）、原稿の読み取りが完了すると（ステップＳ４１０；Ｙｅｓ）、ＣＰＵ２１は選択された機能が保存の場合には（ステップＳ４１１；保存）、ＲＡＭ２４に一時保存した原稿の読取画像（画像データ）をハードディスク装置２６に保存する（ステップＳ４１２／Ｅｎｄ）。選択された機能が複写の場合には（ステップＳ４１１；複写）、ＲＡＭ２４に一時記憶した原稿の読取画像（画像データ）に基づく画像をプリンタ部３３で通常トナーを使用して記録紙に印刷し出力する（ステップＳ４１３／Ｅｎｄ）。
【００８９】
図１０に示すように、消去可能マークが付加された原稿Ｍ１を複合機２０で読み取ると、消去可能マークの無い読取画像Ｉ１が取得される。保存の場合はこの読取画像Ｉ１がハードディスク装置２６に保存され、複写の場合はこの読取画像Ｉ１が印刷（複写）された印刷物（複写物）が出力される。また、読み取り後の原稿Ｍ１では消去可能マークが消去された状態となり、読み取り前の状態から変化が起こる。原稿Ｍ１ではこのように消去可能マークの無いことが画像読み取りの行われたことを示す形跡（証拠）となる。
【００９０】
図１３は消去可能マークが付加された原稿Ｍ１と、原稿Ｍ１を複合機２０で途中まで読み取った場合の読み取り後の原稿Ｍ１を示す図である。図１４は図１３の読み取り後の原稿Ｍ１を詳細に示す図である。図１３および図１４に示すように、消去可能マークが付加された原稿Ｍ１を複合機２０のスキャナ部３２で途中まで読み取ると、読み取り後の原稿Ｍ１では、読取済領域の消去可能マークが消去され、未読取領域の消去可能マークは残存した状態となる。
【００９１】
このように、本実施形態に係る端末装置１０は、複合機２０に印刷を依頼するドキュメントの印刷物に消去可能マークを付加する設定を受け付けた場合には、ドキュメントの画像に消去可能マークを付加し、消去可能マークの印刷には消色トナーの使用を指定した印刷データを生成し、複合機２０へ送信する。複合機２０はこの印刷データに基づいて印刷を行う印刷物に、消色トナーを使用して消去可能マークを印刷する。
【００９２】
また、本実施形態に係る複合機２０は、原稿の複写において複写物に消去可能マークを付加する設定を受け付けた場合には、読み取った原稿の画像に消去可能マークを付加し、消去可能マークの印刷には消色トナーの使用を指定した印刷データ（印刷用の画像データ）を生成し、この印刷データに基づいて印刷を行う印刷物（原稿の複写物）に、消色トナーを使用して消去可能マークを印刷する。
【００９３】
上記の消去可能マークが付加された印刷物を原稿とし、複合機２０のスキャナ部３２でこの原稿が読み取られる際に特定波長光が照射されると、原稿から消去可能マークが消去する。これにより、画像読み取りが行われたことを印刷物自体で識別することができ、印刷物の画像読み取りによる複製を禁止する場合にその複製行為を抑止することができる。たとえば、職場内で複写厳禁書類を回覧するような場合には、回覧中に複写されていないことまたは不正に複写されたことを、消去可能マークの有無により書類自体から見分けることができる。
【００９４】
また、消去可能マークの消去されている領域と残存している領域がある場合には、消去されている領域が複写されたものと判断でき、このように一部の領域が複写された場合も書類自体からその複写された領域を見付けることができる。
【００９５】
また、「コピーされていません」などのコピーが行われていない状態であることを文字情報などで明示し、コピーを行うと何かが起こるようなことを予感させる（コピーに対して警告的な意味合いを持つ）消去可能マークを印刷物の紙面全域に多数付加して一目で分かるようにした場合には、この印刷物のコピーやスキャンに対する警戒感を与えることができ、それらの行為に対する抑止効果を高めることもできる。
【００９６】
なお、消色トナーを使用して印刷する消去可能マークは印刷物の紙面全域に多数付加するほかに、トナー消費量の低減を図るため、付加領域を小さくしたり付加数を少なくしたりするようにしてもよい。たとえば、紙面の任意箇所（指定箇所）や縁部領域（上縁部、下縁部、側縁部）に１または複数のマークを付加するようにしてもよい。また、消去可能マークは印刷物の画像に重畳して付加されてもよく、画像に重畳されずに画像の空き領域や紙面の縁部領域などに付加されてもよい。
【００９７】
[第２の実施形態]
第１の実施形態で説明したように、消色トナーを使用して消去可能マークが印刷された印刷物は、複合機２０による画像読み取りで特定波長光が照射されると消去可能マークのみが消去する。この場合、印刷物の画像読み取りを行った当事者以外の者、たとえば消去可能マークが消去された後の印刷物を見た第三者などは、以前に消去可能マークが印刷されていたのか否かをその印刷物自体から判断することは容易ではない。この判断を容易にする一例として、第２の実施形態では、消去可能マークを印刷する際にそのことを示す情報（表示情報）を通常トナーを用いて消去不可マークとして印刷する場合について説明する。
【００９８】
図１５は端末装置１０から消去可能マークおよび消去不可マークを付加したドキュメントの印刷を依頼し複合機２０がその印刷物を出力する流れを示す図である。本実施形態では、消去不可マークは当該印刷物（記録紙）に消去可能マークが印刷されたことを示す表示情報としての機能を有すると共に、当該印刷物は複製が禁止された機密保護対象の印刷物（セキュリティ・チェック・ペーパー）であることを示す機能も有している。
【００９９】
この２つの機能を有する消去不可マークは、たとえば「This Paper is Security Check Paper」などの文字（文字情報）で構成される。消去不可マークの付加については、端末装置１０における印刷設定で消去可能マークを付加する設定を行うと自動的に付加する設定がなされる、あるいは、付加するか否かをユーザが手動で設定できる構成としてもよい。消去不可マークの種類については、予め用意された複数種類の中から選択する構成としてもよい。さらに消去不可マークに関する設定では、文字の色、フォント（字体）、サイズ、付加位置、印刷面（表面／裏面）などを設定できるようにしてもよい。
【０１００】
図１５では、端末装置１０におけるドキュメント（Ｄ２１）の印刷設定で消去可能マーク（「コピーされていません。」）を付加する設定がなされ、ドキュメントの画像に対して消去不可マーク（「This Paper is Security Check Paper」）が中央位置に付加される場合を表している（Ｄ２２）。端末装置１０がこの印刷データ（Ｄ２３）を生成して複合機２０に送信すると、複合機２０は印刷データに含まれている、消去不可マークが中央位置に付加されたドキュメントデータに基づく画像（ドキュメント画像およびその中央に配置された消去不可マーク）を通常トナーを使用して記録紙に印刷し、この記録紙に消色トナーを使用して消去可能マークを重畳印刷し出力する（Ｐ２１）。この印刷処理における通常トナーと消色トナーの印刷順はどちらが先でもかまわない。
【０１０１】
また図示は省略するが、複合機２０による原稿の複写においても同様に、複合機２０における印刷設定で消去可能マークと消去不可マークを原稿の複写物（印刷物）に付加することができる。
【０１０２】
本実施形態に係る印刷データの生成も第１の実施形態で説明した印刷データの生成と同様に、たとえば、通常トナーを使用して印刷する箇所と消色トナーを使用して印刷する箇所とで印刷データを分けて生成するようにしてもよい。以下にその詳細を２つ例示する。
【０１０３】
１．印刷する画像と消去可能／消去不可マークを単純に重ねる場合
・印刷指示されたドキュメント（もしくは画像読み取り指示がなされスキャナ部３２により読み取った原稿の読取画像）に係るデータを取り込む。
・取り込んだデータに基づく画像を通常トナーで印刷するための第１の印刷データを生成する。
・消去不可マークを通常トナーで印刷するための第２の印刷データを生成する。
・消去可能マークを消色トナーで印刷するための第３の印刷データを生成する。
・第１の印刷データと、第２の印刷データと、第３の印刷データと、これらを同一の記録紙に印刷することを指示する情報（設定情報）とを含む印刷データを生成する。
・生成した印刷データを複合機２０（もしくはプリンタ部３３）へ送信する。
本例の場合は、消色トナーによる消去可能マークを印刷した上に通常トナーによる消去不可マークおよび画像を印刷することが望ましい。
【０１０４】
２．印刷する画像を前面画像とし消去可能／消去不可マークを背景画像とする場合
・印刷指示されたドキュメント（もしくは画像読み取り指示がなされスキャナ部３２により読み取った原稿の読取画像）に係るデータを取り込む。
・取り込んだデータに基づく画像を前面画像とし消去不可マークを背景画像とした第１の合成画像を作成する。
・第１の合成画像を通常トナーで印刷するための第１の印刷データを生成する。
・第１の合成画像を前面画像とし消去可能マークを背景画像とした第２の合成画像を作成して、消去可能マークのうち第１の合成画像に隠されていない部分のみを切り出し、この切り出し部分を消色トナーで印刷するための第２の印刷データを生成する。
・第１の印刷データと、第２の印刷データと、これらを同一の記録紙に印刷することを指示する情報（設定情報）とを含む印刷データを生成する。
・生成した印刷データを複合機２０（もしくはプリンタ部３３）へ送信する。
本例の場合は、通常トナーによる消去不可マークおよび画像（第１の合成画像）と消色トナーによる消去可能マーク（切り出し部分）の印刷順序は問わない。
【０１０５】
また、消去可能マークと消去不可マークの印刷データ（電子データ）は予め記憶されている。印刷設定で消去可能／消去不可マークの色、フォント、サイズなどが変更された場合は、その印刷データのうち該当する属性値を変更する。また、指定された消去可能／消去不可マークの種類および属性値に応じて当該マークの印刷データを生成するプログラムを備え、必要時に該プログラムによって当該マークの印刷データを生成するようにしてもよい。
【０１０６】
図１６は、消去可能マークと消去不可マークが付加された印刷物（図１５の印刷物Ｐ２１）を原稿Ｍ２１として複合機２０で読み取った場合に取得される原稿Ｍ２１の読取画像Ｉ２１と読み取り後の原稿Ｍ２１を示している。複合機２０が図１１に示した読取動作でスキャナ部３２により特定波長光を照射し原稿Ｍ２１を読み取ると、消去可能マークの消去された原稿Ｍ２１が読み取られる。これにより、複合機２０は消去可能マークが無く消去不可マークが中央位置に存在する読取画像Ｉ２１を取得する。読み取り後の原稿Ｍ２１では消去可能マークのみが消去され、消去不可マークが中央位置に残存した状態となる。
【０１０７】
図１７は、図１５に対して消去不可マークの付加位置が異なる例を示す図である。本例では、端末装置１０におけるドキュメント（Ｄ３１）の印刷設定で消去可能マーク（「コピーされていません。」）を付加する設定がなされ、ドキュメントの画像に対して消去不可マーク（「This Paper is Security Check Paper」）が左下位置に付加される場合を表している（Ｄ３２）。
【０１０８】
端末装置１０がこの印刷データ（Ｄ３３）を生成して複合機２０に送信すると、複合機２０は印刷データに含まれている、消去不可マークが左下位置に付加されたドキュメントデータに基づく画像（ドキュメント画像およびその左下に配置された消去不可マーク）を通常トナーを使用して記録紙に印刷し、この記録紙に消色トナーを使用して消去可能マークを重畳印刷し出力する（Ｐ３１）。この印刷処理における通常トナーと消色トナーの印刷順はどちらが先でもかまわない。
【０１０９】
図１８は、図１７で説明した消去可能マークと消去不可マークが付加された印刷物Ｐ３１を原稿Ｍ３１として複合機２０で読み取った場合に取得される原稿Ｍ３１の読取画像Ｉ３１と読み取り後の原稿Ｍ３１を示している。複合機２０が図１１に示した読取動作でスキャナ部３２により特定波長光を照射し原稿Ｍ３１を読み取ると、消去可能マークの消去された原稿Ｍ３１が読み取られる。これにより、複合機２０は消去可能マークが無く消去不可マークが左下位置に存在する読取画像Ｉ３１を取得する。読み取り後の原稿Ｍ３１では消去可能マークのみが消去され、消去不可マークが左下位置に残存した状態となる。
【０１１０】
図１９は、消去不可マークを印刷物の裏面に付加する例を示す図である。本例では、端末装置１０におけるドキュメント（Ｄ４１）の印刷設定で消去可能マーク（「コピーされていません。」）を付加する設定がなされ、消去可能マークは表面（ドキュメント画像の印刷面）に付加され（Ｄ４２ａ）、消去不可マーク（「This Paper is Security Check Paper」）は裏面の中央位置に付加される場合を表している（Ｄ４２ｂ）。
【０１１１】
端末装置１０がこの印刷データ（Ｄ４３ａおよびＤ４３ｂ）を生成して複合機２０に送信すると、図示は省略するが、複合機２０は印刷データに含まれているドキュメントデータに基づく画像を通常トナーを使用して記録紙の表面に印刷すると共に、この表面に消去可能マークを消色トナーを使用して重畳印刷し、更に記録紙の裏面における中央位置に通常トナーを使用して消去不可マークを印刷し出力する。この印刷処理における表面の通常トナーと消色トナーの印刷順はどちらが先でもかまわない。
【０１１２】
上記の印刷物を原稿として表面を複合機２０で読み取った場合には、複合機２０は図１１に示した読取動作でスキャナ部３２により特定波長光を照射し、表面から消去可能マークの消去された原稿を読み取る。これにより、複合機２０は消去可能マークの無い表面の読取画像を取得する。たとえば、図１０に示した読取画像Ｉ１と同様の消去可能マークの無い読取画像を取得する。読み取り後の原稿では表面から消去可能マークのみが消去され（図１０の読み取り後の原稿Ｍ１参照）、裏面に消去不可マークが残存した状態となる。
【０１１３】
図２０は、消去不可マークを印刷物（ドキュメント画像）の空き領域に付加する例を示す図である。本例では、端末装置１０におけるドキュメント（Ｄ５１）の印刷設定で消去可能マーク（「コピーされていません。」）を付加する設定がなされ、ドキュメントの画像に対して消去不可マーク（「This Paper is Security Check Paper」）が空き領域となる下端位置に付加される場合を表している（Ｄ５２）。空き領域は、端末装置１０のプリンタドライバ５０がドキュメントの画像を解析し自動的に検索することで指定される。
【０１１４】
端末装置１０がこの印刷データ（Ｄ５３）を生成して複合機２０に送信すると、図示は省略するが、複合機２０は印刷データに含まれている、消去不可マークが下端位置に付加されたドキュメントデータに基づく画像（ドキュメント画像およびその空き領域となる下端に配置された消去不可マーク）を通常トナーを使用して記録紙に印刷し、この記録紙に消色トナーを使用して消去可能マークを重畳印刷し出力する。この印刷処理における通常トナーと消色トナーの印刷順はどちらが先でもかまわない。
【０１１５】
上記の印刷物を原稿として表面を複合機２０で読み取った場合には、複合機２０は図１１に示した読取動作でスキャナ部３２により特定波長光を照射し、消去可能マークの消去された原稿を読み取る。これにより、複合機２０は消去可能マークが無く消去不可マークが下端位置に存在する読取画像を取得する。読み取り後の原稿では消去可能マークのみが消去され、消去不可マークが下端位置に残存した状態となる。
【０１１６】
このように、本実施形態では、端末装置１０から複合機２０に印刷を依頼するドキュメントの印刷物や複合機２０による原稿の複写物（印刷物）に消去可能マークを印刷（付加）する場合に、その印刷物に消去可能マークを印刷したことを示す表示情報としての機能を有する消去不可マークが通常トナーを使用して印刷される。この印刷物は、複合機２０で読み取られる際に特定波長光が照射されて消去可能マークが消去しても、消去不可マークは消去せずに残存する。
【０１１７】
これにより、印刷物の読み取り後に、この印刷物に消去可能マークが印刷されていたことを印刷物自体で容易に識別（判断）することができる。たとえば、複写厳禁書類の回覧中に複写が行われた場合には、この書類（複写後の書類）のその後の回覧者などは、消去可能マークが存在せず、消去可能マークが印刷されていたことを示す表示情報としての消去不可マークが存在していることから回覧中に不正な複写が行われたことを容易に把握することができる。
【０１１８】
[第３の実施形態]
第２の実施形態では、消色トナーを使用して印刷される消去可能マークと通常トナーを使用して印刷される消去不可マークを個別のマークとして印刷物に付加していたが、第３の実施形態では、両マークを組み合せ１つの組み合せマークにして印刷物に付加する場合について説明する。
【０１１９】
本実施形態では、消去可能マークと消去不可マークを組み合せて構成する組み合せマークの例として、（１）地紋マーク、（２）同化マーク、（３）非同化マークを順に説明し、最後に（４）として、更に同化マークと非同化マークを組み合せた場合の例を説明する。
【０１２０】
地紋マークは、消去可能マークと消去不可マークのうちの一方が背景（地紋）となり他方がその背景に隠されて組み合せられた組み合せマークである。同化マークは、消去可能マークと消去不可マークの境界が目立たないようにされて両マークが同化して組み合せられた組み合せマークである。地紋マークはこの同化マークに含まれる。非同化マークは、消去可能マークと消去不可マークの境界が見た目で分かり両マークが同化されずに組み合せられた組み合せマークである。
【０１２１】
これらの組み合せマークを印刷物に付加する場合も、第２の実施形態で説明した印刷設定により同様に付加することができる。すなわち、端末装置１０によるドキュメントの印刷設定で組み合せマークを付加する設定を行った場合には、複合機２０は端末装置１０から受信した印刷データに基づきドキュメントの画像に組み合せマークを付加した印刷物を出力する。複合機２０によるコピーの印刷設定で組み合せマークを付加する設定を行った場合には、複合機２０は原稿の複写画像に組み合せマークを付加した複写物（印刷物）を出力する。
【０１２２】
（１）地紋マーク
図２１は従来の地紋印刷技術の概要を示す図である。地紋印刷技術は、印刷物の背景（背景模様）を構成する地紋に複写すると現れる文字（隠し文字）を目立たないように隠して埋め込み、この印刷物を複写機などで複写すると複写物にその隠し文字が現れて複写抑止効果を発揮するようにした印刷技術である。ここでは、背景模様に隠し文字が埋め込まれて構成された画像を「地紋画像」と呼ぶ。
【０１２３】
複写すると隠し文字が現れる原理は、地紋画像における背景模様と隠し文字のうちの一方をスキャナによる読取可能なドットで構成し他方を読取不可能なドットで構成することにより、読み取った画像（読取画像）では他方のドットが白抜きとなり一方のドットが浮き出すことで隠し文字が現れるものである。スキャナによるドットの読み取りでは、スキャナの読取解像度よりもサイズが大きいドット（スキャナの読取解像度で読み取ることができる大きさおよび密度のドット）は読取可能であり、スキャナの読取解像度よりもサイズが小さくかつ密度が所定密度（スキャナの読取解像度で読み取ることができない密度）よりも小さい（パターンが粗い）ドットは読取不可能となる。なお、隠し文字を背景模様に目立たないように埋め込むには、これらを同じ色にすることが望ましい。
【０１２４】
図２１に示すように、たとえばスキャナの読取解像度が１２００ｄｐｉの場合は、背景模様と隠し文字のうちの一方を読取解像度よりも大きい４００ｄｐｉのドットで構成し他方を読取解像度よりも小さい３６００ｄｐｉのドットで構成する。背景模様を構成するドットを大きくし、隠し文字を構成するドットを小さくした場合には、背景模様のみが読み取られて読取画像に再現され浮き出し、隠し文字が白抜きとなって現れる。逆に背景模様を構成するドットを小さくし、隠し文字を構成するドットを大きくした場合には、背景模様が白抜きとなり、隠し文字のみが読み取られて読取画像に再現され浮き出して現れる。
【０１２５】
図２２は従来の地紋印刷技術で原稿に印刷された地紋画像と、この原稿（地紋画像）の読取画像と、読み取り後の原稿の地紋画像をそれぞれ構成するドットを拡大イメージにて示す図である。
【０１２６】
本図では、４００ｄｐｉのドットと３６００ｄｐｉのドットの大きさを比較するために各ドットを模式的に示している。たとえば、本図に示す原稿を印刷解像度が３６００ｄｐｉの複合機もしくはプリンタで印刷した場合には、４００ｄｐｉの１つのドット（４００ｄｐｉに相当するドット）は、３６００ｄｐｉのドットが複数個密集して形成されることになる。ここでは説明をわかりやすくするために、３６００ｄｐｉのドットが複数個密集して形成される４００ｄｐｉに相当するドットを、４００ｄｐｉの１つのドットとして説明する。
【０１２７】
本図に示すように、たとえば、複合機２０のスキャナ部３２における読取解像度が１２００ｄｐｉの場合は、読取センサ（ラインイメージセンサ）の１画素当たりの輝度レベル（アナログ信号）が４００ｄｐｉのドットでは低く出力され、３６００ｄｐｉのドットでは高く出力される。詳細には、１画素内の全領域に４００ｄｐｉのドットが存在している画素では、輝度レベルが基準レベルに対して最も低いレベルで出力される（Ｖｍａx）。１画素内に３６００ｄｐｉのドットが１つ存在している画素では、その最も低いレベルの約１／９のレベルで出力される（Ｖｍａx×１／９）。
【０１２８】
読取センサによる読取閾値がレベル中間に設定されている場合には、４００ｄｐｉのドットは読み取られて読取画像に再現される。３６００ｄｐｉのドットは読み取られずに読取画像に再現されないことになる。詳細には、１画素当たり約４．５個未満の３６００ｄｐｉのドットが存在している画素では、それらの３６００ｄｐｉのドットは読み取られずに読取画像に再現されないことになる。１画素当たり約４．５個以上の３６００ｄｐｉのドットが存在している画素では、それらの３６００ｄｐｉのドットは読み取られて読取画像に再現されることになる。また、読み取り後の原稿では読み取り前と地紋画像が変化しない状態となる。
【０１２９】
前述したスキャナの読取解像度よりもサイズが小さくかつ密度が所定密度よりも小さいドットとは、上記のようにスキャナの読取解像度が１２００ｄｐｉで読取センサによる読取閾値がレベル中間に設定されている場合には、たとえば読取センサの１画像当たり４．５個未満の密度のドットを指す。すなわち、図２２に例示した条件における所定密度は、読取センサにおける１画像当たり４．５個の密度となる。
【０１３０】
図２３は従来の地紋印刷技術で地紋画像が印刷された原稿と、この原稿を読み取った場合の読取画像と読み取り後の原稿の一例を示す図である。
【０１３１】
たとえば、地紋画像における背景模様に「不正コピーです」の隠し文字が埋め込まれた原稿を複合機２０で読み取ると、読取画像にはその隠し文字が現れる。図２１および図２２で説明したように、複合機２０の読取解像度に対して背景模様を構成するドットを大きくし、隠し文字を構成するドットを小さくしかつ密度を所定密度よりも小さくした場合には、背景模様が浮き出し隠し文字は白抜きとなって現れる。複合機２０の読取解像度に対して背景模様を構成するドットを小さくしかつ密度を所定密度よりも小さくし、隠し文字を構成するドットを大きくした場合には、背景模様が白抜きとなり隠し文字は浮き出して現れる。また、読み取り後の原稿では読み取り前と地紋画像が変化しないことになる。
【０１３２】
図２４は本実施形態に係る地紋印刷技術で原稿に印刷された地紋マークと、この原稿（地紋マーク）の読取画像と、読み取り後の原稿の地紋マークをそれぞれ構成するドットを拡大イメージにて示す図である。図２５は本実施形態に係る地紋印刷技術で地紋マークが印刷された原稿と、この原稿を読み取った場合の読取画像と読み取り後の原稿の一例を示す図である。
【０１３３】
原稿に印刷される地紋マークは前述したように、消色トナーを使用して印刷される消去可能マークと通常トナーを使用して印刷される消去不可マークのうちの一方が背景（地紋）となり他方がその背景に隠されて組み合せられたものである。更には、消去可能マークと消去不可マークの境界が目立たないようにされて両マークが同化して組み合せられた同化マークに含まれるものである。ここでは従来の地紋画像と同様に、地紋マークは背景模様に隠し文字が埋め込まれて構成される場合を例に説明する。
【０１３４】
たとえば、複合機２０のスキャナ部３２における読取解像度が１２００ｄｐｉの場合には、地紋マークにおける背景模様は、読取不可能な３６００ｄｐｉのドットで消色トナーにより印刷される消去可能マークで構成し、隠し文字は、読取可能な４００ｄｐｉのドットで通常トナーにより印刷される消去不可マークで構成する。隠し文字の内容は「コピーされました」や「スキャンされました」などにする。
【０１３５】
このような地紋マークが印刷された原稿を複合機２０が図１１に示した読取動作でスキャナ部３２により特定波長光を照射し読み取ると、消去可能マークからなる背景模様の消去された原稿が読み取られる。これにより、複合機２０は背景模様が白抜きとなり、消去不可マークからなる隠し文字が浮き出した読取画像を取得する。読み取り後の原稿では背景模様のみが消去されて白抜きとなり、隠し文字が浮き出した状態となる。
【０１３６】
また、地紋マークにおける背景模様を消去不可マーク（通常トナーによる４００ｄｐｉのドット）で構成し、隠し文字を消去可能マーク（消色トナーによる３６００ｄｐｉのドット）で構成することも可能である。この地紋マークが印刷された原稿を複合機２０で読み取ると、消去可能マークからなる隠し文字の消去された原稿が読み取られる。これにより、複合機２０は隠し文字が白抜きとなり、消去不可マークからなる背景模様が浮き出した読取画像を取得する。読み取り後の原稿では隠し文字のみが消去されて白抜きとなり、背景模様が浮き出した状態となる。
【０１３７】
図２６は、第１の実施形態に係る消去可能マーク（文字）および第３の実施形態に係る地紋マーク（背景模様および隠し文字）を印刷物（原稿）に付加する場合の付加パターンを一覧にして示す図である。詳細には、各付加パターンにおける、文字／隠し文字を構成するドットの内容、背景模様を構成するドットの内容、両ドットのサイズの関係、読み取り前の原稿における文字／隠し文字の目視による識別の可否、複合機２０の読取動作における消去と画像読取の順番（タイミング）、読み取り後の原稿の状態、複合機２０が取得する原稿の読取画像、読み取り後の原稿と読取画像の比較、を一覧にして示す図である。本図では、第１の実施形態に係る付加パターンを（ａ）に示し、第３の実施形態に係る各種の付加パターンによる地紋マークを（ｂ）〜（ｇ）に示している。
【０１３８】
（ａ）では、第１の実施形態で説明したように、印刷物に消色トナーで印刷される文字が消去可能マークとなる。（ｂ）〜（ｇ）の地紋マークのうち、（ｂ）、（ｄ）、（ｆ）では、印刷物に通常トナーで印刷される隠し文字が消去不可マークとなり、消色トナーで印刷される背景模様が消去可能マークとなる。（ｃ）、（ｅ）、（ｇ）では、印刷物に消色トナーで印刷される隠し文字が消去可能マークとなり、通常トナーで印刷される背景模様が消去不可マークとなる。
【０１３９】
（ｂ）〜（ｇ）の地紋マークでは、隠し文字を背景模様により目立たないように埋め込むには、これらを同じ色にすることが望ましい。特に（ｂ）と（ｃ）では、隠し文字を背景模様により完全に目視不可に埋め込むには、これらを連続したパターンのドットで構成することが望ましい。（ｄ）と（ｅ）では、図１１で説明した読取動作における消去と画像読取の順番を逆にしても読み取り後の原稿と読取画像が同じになる。
【０１４０】
図２４および図２５に例示した地紋マークは、（ｄ）の付加パターンによるものである。なお、図２５に示した読み取り後の原稿の状態は、（ｃ）の付加パターンによっても実現可能である。
【０１４１】
（ｆ）と（ｇ）では、通常トナーで印刷される３６００ｄｐｉのドットからなる消去不可マークを複合機２０の読取解像度１２００ｄｐｉで読み取ることができない密度（たとえば１画像当たり４．５個未満）とし、図１１で説明した読取動作における消去と画像読取の順番を逆にすることにより、読み取り後の原稿と読取画像で隠し文字が浮き出しと白抜きとで反転して現れる。これにより、読み取り後の原稿と複写物とが簡単に見分けられるようになる。
【０１４２】
なお、（ａ）における消去可能マーク（文字）を構成するドットの大きさは４００ｄｐｉに限らず、他の大きさでもよい。（ｂ）、（ｃ）における消去可能マークと消去不可マークを構成する各ドットの大きさは４００ｄｐｉに限らず、複合機２０の読取解像度で読み取り可能かつ各ドットが同一の大きさであればよい。（ｄ）、（ｅ）における消去可能マークを構成するドットの大きさは３６００ｄｐｉに限らず、複合機２０の読取解像度で読み取り不可な大きさであればよい。（ｄ）、（ｅ）における消去不可マークを構成するドットの大きさは４００ｄｐｉに限らず、複合機２０の読取解像度で読み取り可能な大きさであればよい。（ｆ）、（ｇ）における消去可能マークを構成するドットの大きさは４００ｄｐｉに限らず、複合機２０の読取解像度で読み取り可能な大きさであればよい。（ｆ）、（ｇ）における消去不可マークを構成するドットの大きさは３６００ｄｐｉに限らず、複合機２０の読取解像度で読み取り不可な大きさであればよい。
【０１４３】
図２７は、図２６の（ｆ）、（ｇ）による原稿の読取動作における光源の点灯／消灯タイミングと原稿の読み取りタイミングを示すタイミングチャートである。図２８は、図２６の（ｆ）、（ｇ）による付加パターンの地紋マークが印刷された原稿と、この原稿を図２７のタイミングチャートに示す読取動作で読み取った場合の読取画像と読み取り後の原稿の一例を示す図である。
【０１４４】
図２９は、地紋マークの背景模様に目立たないように隠して埋め込まれた各種の情報の一例を示す図である。本例で示す情報は、（Ａ）単語（「ＮＧ」（略語））、（Ｂ）記号（「×」）、（Ｃ）禁止マーク、（Ｄ）幾何模様（三角模様）である。本例の地紋マークは、図２６の（ｃ）または（ｄ）の付加パターンによって原稿（印刷物）に付加されており、背景模様が消去可能マークで構成され、情報が消去不可マークで構成されている。本例の地紋マークが付加（印刷）された原稿（印刷物）を複合機２０で読み取ると、読み取り後の原稿では背景模様が消去され、隠されていた情報が浮き出して現れる。
【０１４５】
本図の（Ａ）〜（Ｄ）に示す情報は一例であり、他の単語、他の記号、他のマーク（異常マーク）、他の幾何模様などからなる情報を使用してもかまわない。このような情報を使用する場合には、原稿の読み取りを行っていない第三者などが原稿（読み取り後の原稿）を見た場合でも、原稿に何らかの異常が起きたことが容易に分かる情報を使用することが望ましい。付加パターンについては、図２６の（ｃ）や（ｄ）に限らず、（ｂ）、（ｅ）、（ｆ）、（ｇ）としてもかまわない。
【０１４６】
（２）同化マーク
図３０は、同化マークの一例を示す図である。前述したように、同化マークは消去可能マークと消去不可マークの境界が目立たないようにされて両マークが同化して組み合せられたものである。
【０１４７】
同化マークにおける消去可能マークと消去不可マークも地紋マークと同様に、本実施形態に係る地紋印刷技術（図２６の（ｂ）〜（ｇ）参照）を用いて、境界が目立たないようにされ両マークが同化して組み合せられて印刷物に付加（印刷）される。地紋マークとの違いは、地紋マークは文字などの情報を隠すための背景模様が紙面の全域または大部分の領域に地紋として印刷されるのに対し、同化マークは文字などの情報を隠すための模様がトナー消費量を低減するために紙面の一部領域のみに印刷される点である。一部領域は、紙面の縁部（上縁部、下縁部、左縁部、右縁部）や中央部、印刷する画像の空き領域など、任意の領域にすることができる。
【０１４８】
ここで説明するのは、同化マークに含まれる地紋マークとそれ以外のものとなる非地紋マークのうちの後者についてであり、厳密には同化マークに含まれる非地紋マークについてである。
【０１４９】
図３０の（Ａ）と（Ｂ）に２つの同化マーク（非地紋マーク）を例示する。本例の同化マークも図２６の（ｃ）または（ｄ）の付加パターンによって原稿（印刷物）に付加されており、紙面の一部領域に付加された模様が消去可能マークで構成され、模様に隠されて埋め込まれた情報（隠し文字）が消去不可マークで構成されている。
【０１５０】
（Ａ）では、原稿の上縁部および下縁部と中央部に同化マークが付加されている。上下縁部の同化マークは、消去可能マークからなる模様が原稿（紙面）の幅方向全域にわたる帯状模様であり、この上下の帯状模様の対角位置に消去不可マークからなる「違反されました」の隠し文字が埋め込まれている。詳細には、原稿の上部右側には「回覧（コピー厳禁）」の文字が印刷されており、上縁部の同化マークでは、この文字の左側となる、帯状模様における左側領域に隠し文字が埋め込まれている。下縁部の同化マークでは、帯状模様における右側領域に隠し文字が埋め込まれている。中央部の同化マークは、全体がマル秘マークで構成されており、消去可能マークからなる模様が円周状の帯線からなる円模様であり、消去不可マークからなる隠し文字（「違反」）がこの円模様の上下左右位置に４つ埋め込まれている。
【０１５１】
（Ａ）の同化マークが付加された原稿を複合機２０で読み取ると、読み取り後の原稿では、図示のように、上下縁部の帯状模様が消去され、隠されていた「違反されました」の文字が浮き出して現れると共に、中央部のマル秘マークが消去され、隠されていた「違反」の文字が浮き出して現れる。特に本例では、原稿の上縁部に「コピー厳禁」などの文字が印刷される場合に、この文字の近くに「違反されました」などの文字が現れるようにすることで、この原稿を第三者が見た場合でも、禁止されているコピーが違反して行われたことを容易に把握できるようになる。
【０１５２】
（Ｂ）の同化マークは、消去可能マークからなる模様が原稿の周縁部を囲う枠状模様の内部に十字模様を組み合せた「田」字状の模様であり、この田字状模様を構成する６本の帯線に消去不可マークからなる隠し文字が複数埋め込まれている。詳細には、枠状模様を構成する４本の帯線には「セキュリティ違反」の隠し文字がそれぞれ埋め込まれており、十字模様を構成する２本の帯線には略全域にわたって「違反」の隠し文字が複数埋め込まれている。
【０１５３】
（Ｂ）の同化マークが付加された原稿を複合機２０で読み取ると、読み取り後の原稿では、図示のように、周縁部を囲う枠状模様が消去され、隠されていた「セキュリティ違反」の文字が浮き出して現れると共に、枠状模様内の十字模様が消去され、隠されていた「違反」の文字が浮き出して現れる。
【０１５４】
また、本例の（Ａ）と（Ｂ）の同化マークはいずれも、原稿が上下左右のいずれの方向から途中までスキャンされた場合でも（図１３および図１４参照）、消去可能マークからなる模様に必ず消去箇所が発生する。そのため、途中までスキャンされたことも見分けられる。また、原稿の縁部を隠したり、プラテンガラス４１へのセット位置をずらしたりして原稿の中央部周辺のみがスキャンされた場合も同様に、中央部周辺の消去可能マークからなる模様に必ず消去箇所が発生するため、そのような中央部周辺のみのスキャンも見分けられる。
【０１５５】
本図の（Ａ）および（Ｂ）に示す同化マーク（非地紋マーク）は一例である。模様は他の形状の模様を使用してもかまわない。隠し文字は地紋マークの場合と同様に、単語、記号、マーク（禁止マークや異常マークなど）、幾何模様などからなる情報を使用してもかまわない。付加パターンについても地紋マークの場合と同様に、図２６の（ｃ）や（ｄ）に限らず、（ｂ）、（ｅ）、（ｆ）、（ｇ）としてもかまわない。
【０１５６】
（３）非同化マーク
図３１は、非同化マークの一例を示す図である。前述したように、非同化マークは消去可能マークと消去不可マークの境界が見た目で分かり両マークが同化されずに組み合せられたものである。
【０１５７】
図３１の（Ａ）と（Ｂ）に２つの非同化マークを例示する。本例の非同化マークは、消去可能マークと消去不可マークが異なる色または同じ色で異なる濃度などとされ、消去可能マークからなる模様と消去不可マークからなる模様が１つに組み合せられて構成されている。
【０１５８】
（Ａ）の非同化マークでは、消去可能マークからなる模様が原稿の周縁部を囲う枠状模様で構成され、消去不可マークからなる模様がその消去可能マークに内接する矩形模様で構成されており、両マークは境界が見た目で分かり同化されずに組み合せられている。
【０１５９】
（Ａ）の非同化マークが付加された原稿を複合機２０で読み取ると、読み取り後の原稿では、図示のように、周縁部を囲う枠状模様の消去可能マークが消去されて白抜きとなり、矩形模様の消去不可マークが残存した状態となり、読み取り前の状態に対して変化が起こる。
【０１６０】
（Ｂ）の非同化マークでは、原稿の上下左右領域を４つの二等辺三角形で４分割したうちの上下領域を占める一方の対の三角形模様によって消去可能マークが構成され、左右領域を占める他方の対の三角形模様によって消去不可マークが構成されており、両マークは境界が見た目で分かり同化されずに組み合せられている。
【０１６１】
（Ｂ）の非同化マークが付加された原稿を複合機２０で読み取ると、読み取り後の原稿では、図示のように、原稿の上下領域を占める一対の三角形模様の消去可能マークが消去されて白抜きとなり、左右領域を占める一対の三角形模様の消去不可マークが残存した状態となり、読み取り前の状態に対して変化が起こる。
【０１６２】
また、本例の（Ａ）と（Ｂ）の非同化マークはいずれも、原稿が上下左右のいずれの方向から途中までスキャンされた場合でも、消去可能マークからなる模様に必ず消去箇所が発生する。そのため、途中までスキャンされたことも見分けられる。
【０１６３】
本図の（Ａ）および（Ｂ）に示す非同化マークは一例である。模様は格子模様などの他の形状の模様を使用してもかまわない。また模様同士を組み合せるほかに、模様と文字（単語、記号を含む）、模様と各種の意味合いを有するマーク（禁止マークや異常マークなど）を組み合せてもかまわない。
【０１６４】
（４）同化マークと非同化マークの組み合せ
図３２は、同化マークと非同化マークを組み合せた場合の一例を示す図である。
【０１６５】
図３０に例示した同化マークと図３１に例示した非同化マークでは共に、消去可能マークが原稿の一部領域に付加される模様で構成されている。本例では、この模様を同化マークと非同化マークにおける共通の消去可能マークとして使用し、この共通の消去可能マークに、隠し文字を構成する消去不可マークを埋め込んで同化マークを構成すると共に、境界が見た目で分かり同化しない文字を構成する消去不可マークを組み合せて非同化マークを構成し、更にこの共通の消去可能マークに同化しない文字を構成する消去可能マークを組み合せて１つの組み合せマークを構成する場合を説明する。
【０１６６】
読み取り前の原稿に示すように、共通の消去可能マークは淡色を使用し原稿の周縁部を囲う枠状模様で構成する。この枠状模様における上下左右の帯線に、濃色を使用した「機密保護」の文字からなる消去不可マークを、各文字を所定の間隔を設けて配置し、この文字が枠状模様に同化せずに組み合せられた非同化マークを構成する。「機密保護」の後ろに淡色（共通の消去可能マークと同色）を使用した「違反！」の文字からなる消去不可マークを、各文字を所定の間隔を設けて配置し、この文字が隠し文字として枠状模様に同化して埋め込まれた同化マークを構成する。更に「違反！」の各文字の間に濃色を使用した「対象」の文字からなる消去可能マークを１文字ずつ配置して、１つの組み合せマークを構成する。なお、枠状模様では図示のように、上記の各文字に対応する部分を白抜きの文字とし、この白抜きの文字に上記の各文字を当てはめる。
【０１６７】
上記の組み合せマークが付加された原稿（読み取り前の原稿）では、淡色による枠状模様（上下左右の帯線）に、濃色による「機密保護対象」の文字が浮き出して見た目で分かる状態となる。この原稿を複合機２０で読み取ると、読み取り後の原稿では、周縁部を囲う枠状模様（共通の消去可能マーク）と、「対象」の文字（消去可能マーク）が消去されて白抜きとなり、「機密保護」の文字（消去不可マーク）が残存すると共に、枠状模様に隠されていた「違反！」の文字（消去不可マーク）が現れて、「機密保護違反！」の文字が形成される。すなわち、読み取り前の原稿では「機密保護対象」であった文字が読み取り後の原稿では「機密保護違反！」の文字に変化する。
【０１６８】
また、本例の場合も、原稿が上下左右のいずれの方向から途中までスキャンされた場合でも、消去可能マークからなる枠状模様に必ず消去箇所が発生する。そのため、途中までスキャンされたことも見分けられる。
【０１６９】
このように、本実施形態では、消去可能マークと消去不可マークを１つの組み合せマーク（一体マーク）として印刷することにより、両マークを見た目では違和感（不自然感）の少ない付加画像として印刷物に付加することができる。
【０１７０】
特に同化マークでは、消去可能マークと消去不可マークを目視では識別困難な１つのマークとして印刷物に付加することができる。この印刷物の画像読み取りで特定波長光が照射されると消去可能マークが消去し、予期していない消去不可マークが現れて意外性の高い変化が起こる。たとえば、不正な画像読み取りに対し、読み取り元の印刷物自体に意外性の高い変化が起こることで、不正を戒める高い心理的効果（猛省を促す効果）を与えることができる。これにより、印刷物の画像読み取りによる複製行為の再発抑止効果が高められる。また、図３０に例示したような紙面の一部領域のみに印刷する同化マーク（非地紋マーク）や図３２に例示した同化マークと非同化マークを含む組み合せマークであれば、トナー消費量を抑えることができる。
【０１７１】
特に図３２に例示した組み合せマークでは、読み取り前の原稿には「機密保護対象」が表示されていることで、コピーやスキャンに対して警戒心を与えることができ、複製や保存に対する抑制効果が得られる。これに違反してコピーやスキャンが行われた場合には、「機密保護違反！」に変化して原稿にその違反行為の証拠が現れると共に、予期していない警告メッセージが現れて強い心理的効果を与えることができ、再発抑止効果が高められる。
【０１７２】
地紋マークにおいては、消去可能マークと消去不可マークを目視では識別困難な１つのマークとし、かつ、見た目でより違和感の少ない付加画像（背景画像）として印刷物に付加することができる。
【０１７３】
また、地紋マークを含む同化マークにおいて、消去可能マークと消去不可マークを同一かつ連続したパターンのドットで構成した場合には、両マークを目視では識別不可能な１つのマーク（背景模様など）として印刷物に付加することができる。
【０１７４】
[第４の実施形態]
第４の実施形態では、第１および第３の実施形態で説明した消去可能マークや消去不可マークの印刷設定を端末装置１０で行う場合の具体的な動作について説明する。ここでは、消去可能マークを背景文字として付加する図５、従来の地紋画像を付加する図２３、消去可能マークと消去不可マークを組み合せて地紋マークを付加する図２５に例示した印刷物を作成する場合の印刷設定（セキュリティ出力設定）を例に説明する。
【０１７５】
図３３は、本実施形態に係る端末装置１０によるドキュメントの印刷依頼動作を示す流れ図である。図３４は、図３３におけるセキュリティ出力設定処理のサブルーチンを示す流れ図である。図３５〜図４２は、本動作で端末装置１０の表示部１７に表示されるプリンタドライバ５０の印刷設定画面６０の一例を示す図である。
【０１７６】
図３３に示すように、端末装置１０はユーザから表示部１７および操作部１８を通じて印刷するドキュメントの選択を受け付けると（ステップＳ５０１）、ＣＰＵ１１は選択されたドキュメントの出力履歴を履歴管理テーブル５１にて確認する（ステップＳ５０２）。出力履歴がない場合には（ステップＳ５０３；Ｎｏ）、ＣＰＵ１１（プリンタドライバ５０）は表示部１７に印刷設定画面６０を表示し（図３５参照）、印刷設定画面６０を通じて印刷設定を受け付ける（ステップＳ５０４）。
【０１７７】
印刷設定では、出力先（印刷依頼先）の複合機２０の指定を受け付ける（図３６参照）。また、ユーザは必要に応じてセキュリティ出力の指定を行う。セキュリティ出力の指定は、消去可能マークとなる背景文字の設定（図３７参照）、または、従来の地紋印刷技術による地紋画像を構成する隠し文字と背景模様の設定（図３８〜図４１参照）、または、第３の実施形態で説明した地紋マークを構成する隠し文字（消去可能マーク）と背景模様（消去不可マーク）の設定である（図４２参照）。
【０１７８】
セキュリティ出力の指定がない場合には（ステップＳ５０５；Ｎｏ）、受け付けた印刷設定に係る通常出力設定処理を行い（ステップＳ５０６）、その印刷設定情報を選択されたドキュメントに関連付けて履歴管理テーブル５１に登録する（ステップＳ５０７）。たとえば、ドキュメントの特定情報となるＩＤ（識別情報）やドキュメント名（ファイル名）と印刷設定情報とを関連付けて履歴管理テーブル５１に登録する。また、ドキュメントの特定情報および更新日時と印刷設定情報とを関連付けて履歴管理テーブル５１に登録するようにしてもよい。そして、選択されたドキュメントの電子データと印刷設定情報とを含む印刷データを生成し（ステップＳ５０８）、指定された複合機２０に送信する（ステップＳ５０９／Ｅｎｄ）。
【０１７９】
セキュリティ出力の指定がある場合には（ステップＳ５０５；Ｙｅｓ）、ＣＰＵ１１はセキュリティ出力設定処理を行う（ステップＳ５１０）。本処理でセキュリティ出力の設定が完了した場合は（ステップＳ５１１；Ｙｅｓ）、ステップＳ５０７へ移行する。セキュリティ出力の設定が完了しなかった場合は（ステップＳ５１１；Ｎｏ）、ドキュメントの印刷指示をキャンセルする（Ｅｎｄ）。
【０１８０】
選択されたドキュメントの出力履歴がある場合には（ステップＳ５０３；Ｙｅｓ）、ＣＰＵ１１は履歴管理テーブル５１においてその選択されたドキュメントに関連付けて登録されている印刷設定情報を表示部２７に表示する（ステップＳ５１２）。ユーザから印刷設定情報を利用しない指示を受け付けた場合には（ステップＳ５１３；Ｎｏ）、ステップＳ５０４へ移行する。ユーザから印刷設定情報を利用する指示を受け付けた場合には（ステップＳ５１３；Ｙｅｓ）、選択されたドキュメントの電子データと、履歴管理テーブル５１に登録されている該当の印刷設定情報とを含む印刷データを生成し（ステップＳ５１４）、この印刷設定情報によって示される出力先の複合機２０に送信する（ステップＳ５０９／Ｅｎｄ）。
【０１８１】
図３０に示すセキュリティ出力設定処理では、ＣＰＵ１１はネットワーク通信部１９を通じて出力先の複合機２０に消色トナーの残量を問い合わせて確認する（ステップＳ６０１）。端末装置１０から消色トナーの残量の問い合わせを受けた複合機２０は、トナー残量検出部３４により検出した消色トナーの残量が所定量以下であるか否かの検出結果を端末装置１０に応答する。
【０１８２】
セキュリティ出力の種別が背景文字の場合には（ステップＳ６０２；背景文字）、消色トナーの残量が所定量超過であれば（ステップＳ６０３；Ｎｏ）、ＣＰＵ１１は印刷設定画面６０（図３５〜図３７参照）で受け付けた印刷設定、出力先の複合機２０の設定、背景文字の印刷に係る設定を行う（ステップＳ６０４／Ｒｅｔｕｒｎ）。消色トナーの残量が所定量以下であれば（ステップＳ６０３；Ｙｅｓ）、ＣＰＵ１１は印刷設定画面６０で受け付けた設定を行わず、指定された複合機２０では背景文字の付加によるセキュリティ出力の印刷が不可であることを表示部１７に表示する（ステップＳ６０５／Ｒｅｔｕｒｎ）。
【０１８３】
セキュリティ出力の種別が地紋の場合には（ステップＳ６０２；地紋）、消色トナーを使用しない従来の地紋画像であれば（ステップＳ６０６；Ｎｏ（図３８〜図４１参照））、ＣＰＵ１１は地紋画像における隠し文字および背景模様に使用するトナーを通常トナーに確定する（ステップＳ６０７）。そして、印刷設定画面６０（図３１、図３２、図３４〜図３７参照）で受け付けた印刷設定、出力先の複合機２０の設定、地紋画像の印刷に係る設定を行う（ステップＳ６０８／Ｒｅｔｕｒｎ）。
【０１８４】
消色トナーを使用する地紋マークの場合には（ステップＳ６０６；Ｙｅｓ（図４２参照））、消色トナーの残量が所定量以下であれば（ステップＳ６０９；Ｙｅｓ）、ＣＰＵ１１は地紋マークを従来の地紋画像に置き換えて印刷するようにし、隠し文字および背景模様に使用するトナーを通常トナーに確定する（ステップＳ６０７）。そして、印刷設定画面６０（図３５、図３６、図４２参照）で受け付けた印刷設定、出力先の複合機２０の設定、地紋マークを従来の地紋画像に置き換えた印刷に係る設定を行う（ステップＳ６０８／Ｒｅｔｕｒｎ）。
【０１８５】
消色トナーの残量が所定量超過であれば（ステップＳ６０９；Ｎｏ）、ＣＰＵ１１は地紋マークにおける隠し文字に使用するトナーを通常トナーに、背景模様に使用するトナーを消色トナーに確定する（ステップＳ６１０）。そして、印刷設定画面６０（図３５、図３６、図４２参照）で受け付けた印刷設定、出力先の複合機２０の設定、地紋マークの印刷に係る設定を行う（ステップＳ６０８／Ｒｅｔｕｒｎ）。
【０１８６】
本実施形態では、端末装置１０において印刷を指示するドキュメントの画像に消去可能マークや消去不可マークを付加する設定を行う場合に、以前に設定を行って記憶されている印刷設定情報を使用して簡単に設定を行うことができる。
【０１８７】
以上、本発明の実施形態を図面によって説明してきたが、具体的な構成は実施形態に示したものに限られるものではなく、本発明の要旨を逸脱しない範囲における変更や追加があっても本発明に含まれる。
【０１８８】
消去可能マーク（第１マーク）や消去不可マーク（第２マーク）は、ドキュメントの印刷毎や原稿の複写毎の印刷設定で付加するか否かを切り替えるようにしているが、このように印刷毎や複写毎に切り替えるのではなく、自動で付加されるように構成してもよい。たとえば、端末装置１０や複合機２０に初期設定（管理者設定）やユーザ設定などによって設定できるセキュリティモードなどを設け、セキュリティモードの設定状態における印刷や複写では自動でマークが付加されるような構成としてもよい。
【０１８９】
このようなセキュリティモードは、たとえば、端末装置１０において複数のドキュメントを複写禁止の機密書類などとして連続的に印刷するような場合や、複合機２０において複数の原稿を複写禁止の機密書類などとして連続的に複写作成するような場合に、印刷毎や複写毎にマークを付加する設定をその都度行う必要がなく、便利である。また、端末装置１０をセキュリティ印刷専用で使用するような場合や複合機２０をセキュリティ複写専用で使用するような場合にも有用である。
【０１９０】
また、印刷指示された画像は通常トナーのみを使用して印刷される構成に限らない。たとえば、印刷設定で画像の一部領域を指定し、その一部領域を消色トナーを使用して印刷される領域に設定できる構成としてもよい。この構成では、印刷する画像のうち特に機密性の高い情報が記載されている領域などを、消色トナーを使用して印刷される領域に設定することで、この画像が印刷された印刷物が不正に複写されたとしても、消色トナーを使用して印刷された機密性の高い情報などは複写時（画像読取時）に印刷物から消去されて複写されないようになり、情報漏洩を防止することができる。
【０１９１】
消色可能な印刷剤は、電子写真方式の印刷装置（複合機）を例に消色トナーとした場合で説明したが、インクジェット方式のプリンタで使用される、特定波長光の照射で消色（無色化）する消色インクなどでもよい。
【０１９２】
また、本発明に係る印刷装置は、実施形態で説明した複合機に限らず、複写機やスキャナ機なども対象にすることができる。
【符号の説明】
【０１９３】
２…ネットワーク
１０…端末装置
１１…ＣＰＵ
１２…バス
１３…ＲＯＭ
１４…ＲＡＭ
１５…不揮発メモリ
１６…ハードディスク装置
１７…表示部
１８…操作部
１９…ネットワーク通信部
２０…複合機（ＭＦＰ）
２１…ＣＰＵ
２２…バス
２３…ＲＯＭ
２４…ＲＡＭ
２５…不揮発メモリ
２６…ハードディスク装置
２７…表示部
２８…操作部
２９…ファクシミリ通信部
３０…ネットワーク通信部
３１…画像処理部
３２…スキャナ部
３３…プリンタ部
３４…トナー残量検出部
４１…プラテンガラス
４２…読取装置
４３…移動機構
４４…読取用光源
４５…ラインイメージセンサ
４６…消去用光源
４７…反射板
４８…保持部材
５０…プリンタドライバ
５１…履歴管理テーブル
６０…印刷設定画面
Ｌａ…照明光
Ｌｂ…反射光
Ｍ、Ｍ１、Ｍ１１、Ｍ２１、Ｍ３１…原稿
Ｐ１、Ｐ１１、Ｐ２１、Ｐ３１…印刷物（複写物）
Ｉ１、Ｉ２１、Ｉ３１…読取画像
Ｓ…読取範囲
【図１】
2011171958.tif 000003
【図２】
2011171958.tif 000004
【図３】
2011171958.tif 000005
【図４】
2011171958.tif 000006
【図６】
2011171958.tif 000007
【図７】
2011171958.tif 000008
【図９】
2011171958.tif 000009
【図１１】
2011171958.tif 000010
【図１２】
2011171958.tif 000011
【図２２】
2011171958.tif 000012
【図２４】
2011171958.tif 000013
【図２７】
2011171958.tif 000014
【図３３】
2011171958.tif 000015
【図３４】
2011171958.tif 000016
【図３５】
2011171958.tif 000017
【図３６】
2011171958.tif 000018
【図３７】
2011171958.tif 000019
【図３９】
2011171958.tif 000020
【図４０】
2011171958.tif 000021
【図４１】
2011171958.tif 000022
【図４２】
2011171958.tif 000023
【図５】
2011171958.tif 000024
【図８】
2011171958.tif 000025
【図１０】
2011171958.tif 000026
【図１３】
2011171958.tif 000027
【図１４】
2011171958.tif 000028
【図１５】
2011171958.tif 000029
【図１６】
2011171958.tif 000030
【図１７】
2011171958.tif 000031
【図１８】
2011171958.tif 000032
【図１９】
2011171958.tif 000033
【図２０】
2011171958.tif 000034
【図２１】
2011171958.tif 000035
【図２３】
2011171958.tif 000036
【図２５】
2011171958.tif 000037
【図２６】
2011171958.tif 000038
【図２８】
2011171958.tif 000039
【図２９】
2011171958.tif 000040
【図３０】
2011171958.tif 000041
【図３１】
2011171958.tif 000042
【図３２】
2011171958.tif 000043
【図３８】
2011171958.tif 000044